(57)【特許請求の範囲】
【請求項１】
カメラと前記カメラによる撮影時に発光するフラッシュ照明手段を備える携帯型電子機器の前記カメラのレンズに装着されるコンバージョンレンズと、このコンバージョンレンズを用いた撮影時に被写体を照明するコンバージョンレンズ用照明手段とを備えるレンズモジュールであって、
前記フラッシュ照明手段の光を前記被写体に対して遮蔽する遮蔽部材と、
前記フラッシュ照明手段の発光を検知する発光検知手段と、
前記発光検知手段により前記フラッシュ照明手段の発光が検知された場合に前記コンバージョンレンズ用照明手段を前記カメラの撮影に対応する所定期間だけ発光させる発光制御手段とを備え、
前記発光制御手段は、
前記フラッシュ照明手段の発光として、前記コンバージョンレンズ用照明手段による照明の光の種類に対応する複数の発光パターンのうちのいずれかの前記発光パターンでの発光が前記発光検知手段により検知された場合に、前記コンバージョンレンズ用照明手段に、前記発光検知手段により検知された前記発光パターンに対応する種類の光で前記被写体を照明させることを特徴とするレンズモジュール。
【請求項２】
前記コンバージョンレンズの少なくとも左右および下に向かって延出して配置され、前記フラッシュ照明手段で発光された光を前記発光検知手段に導く導光板を備え、前記発光検知手段は、前記導光板を介して前記フラッシュ照明手段の発光を検知することを特徴とする請求項１に記載のレンズモジュール。
【請求項３】
前記携帯型電子機器が前記フラッシュ照明手段の発光を制御するフラッシュ制御手段を備え、前記フラッシュ制御手段は、前記フラッシュ照明手段を制御して、前記カメラによる撮影時の発光の前に、所定の発光パターンの事前発光を行わせ、
前記発光制御手段は、前記発光検知手段により所定の発光パターンの事前発光が検知された後に発光の開始が検知された場合に前記コンバージョンレンズ用照明手段を発光させることを特徴とする請求項１または請求項２に記載のレンズモジュール。
【請求項４】
前記コンバージョンレンズは、被写体として肌を撮影するために被写体を拡大して接写するためのレンズとされ、
前記コンバージョンレンズ用照明手段は、第１偏光板を備え、前記第１偏光板を通過した照明光と、前記第１偏光板を通過しない照明光とを切り替えて出射可能にされ、
前記コンバージョンレンズは、第２偏光板を備え、前記コンバージョンレンズと前記第２偏光板を通過した光がカメラに入射し、
前記第１偏光板と、前記第２偏光板とは、偏光方向が異なるように配置されていることを特徴とする請求項１から請求項３のいずれか１項に記載のレンズモジュール。
【請求項５】
カメラと前記カメラによる撮影時に発光するフラッシュ照明手段を備える携帯型電子機器の前記カメラのレンズに装着されるコンバージョンレンズと、
このコンバージョンレンズを用いた撮影時に被写体を照明するコンバージョンレンズ用照明手段と
前記フラッシュ照明手段の光を前記被写体に対して遮蔽する遮蔽部材と、
前記フラッシュ照明手段の発光を検知する発光検知手段と、
前記発光検知手段により前記フラッシュ照明手段の発光が検知された場合に前記コンバージョンレンズ用照明手段を前記カメラの撮影に対応する所定期間だけ発光させる発光制御手段とを備えるレンズモジュールを取り付けて画像を撮影する撮影方法であって、
前記発光制御手段は、
前記フラッシュ照明手段の発光として、前記コンバージョンレンズ用照明手段による照明の光の種類に対応する複数の発光パターンのうちのいずれかの前記発光パターンでの発光が前記発光検知手段により検知された場合に、前記コンバージョンレンズ用照明手段に、前記発光検知手段により検知された前記発光パターンに対応する種類の光で前記被写体を照明させることを特徴とする撮影方法。
【発明の詳細な説明】
【技術分野】
【０００１】
本発明は、カメラ機能を有する携帯電子機器に装着して使用されるレンズモジュールおよびこのレンズモジュールを用いた撮影方法に関する。
【背景技術】
【０００２】
従来、カメラ付き携帯電話（スマートフォンを含む）や、カメラ付きタブレット型電子機器等の携帯型のカメラ付き電子機器に、取り付けられるコンバージョンレンズが知られている（例えば、特許文献１参照）。
コンバージョンレンズを電子機器の側のレンズ（マスターレンズ）に取り付けることにより、携帯型電子機器のカメラのレンズが単焦点レンズであっても、焦点距離を広角側や望遠側に変えることができる。また、コンバージョンレンズとして接写機能（マクロ撮影機能）を有するレンズを用い、マクロ撮影を可能にする場合もある。
【０００３】
また、顔の肌を拡大撮影して肌の状態を分析するための肌用カメラが知られているが、例えば、携帯電話のカメラに肌用カメラとしての機能、例えば、被写体を拡大して接写する機能を付加するコンバージョンレンズも知られている。この場合に、例えば、撮影した肌の画像をメール等で肌の画像の分析を行う会社に送ることにより、肌の分析結果をメールで送り返してもらうようなことが容易に可能になる。
【先行技術文献】
【特許文献】
【０００４】
【特許文献１】特開２０１２−８２８３号公報
【発明の概要】
【発明が解決しようとする課題】
【０００５】
ところで、肌の撮影機能を携帯電話に持たせるコンバージョンレンズは、肌に近づけて肌を接写（マクロ撮影）するようになっている。また、携帯電話やスマートフォンでは、カメラの撮影の際の照明としてＬＥＤを光源とするフラッシュ装置を有する場合が多い。
このフラッシュ装置に用いられるＬＥＤは、一般的にカメラから１ｍ程度の距離にある被写体を適度な光量で照らすように設定されている。
【０００６】
したがって、このフラッシュ装置を用い、コンバージョンレンズによる接写を行った場合に、フラッシュ装置のＬＥＤが被写体に近すぎることになり、被写体としての肌が均等に照明されなかったり、照明が明るすぎて撮影した画像に白とびが生じたりする虞がある。フラッシュ装置を使用せずに外光や屋内の照明の光で肌を撮影することも考えられるが、状況によって照明の状態が大きく変わってしまう可能性がある。
【０００７】
これらの問題からコンバージョンレンズにマクロ撮影に適したフラッシュ装置を設けることが考えられる。この場合に、フラッシュ装置の光源になるＬＥＤの電源として電池を内蔵させるとともに電源スイッチを設け、撮影操作の開始時にフラッシュ装置の電源スイッチをオンにして発光させ、撮影操作の終了時に電源スイッチをオフにして消灯することになる。
このような方法でフラッシュ装置を使用すると、フラッシュ装置が瞬間的に発光するのではなく、比較的長い間、フラッシュ装置がオンのままになり、一般的なフラッシュ装置のように一瞬だけ点灯する場合に比較して使用電力が大きくなり、大容量の大型の電池が必要になるか、電池の交換時期が早まることになる。
【０００８】
本発明は、上記事情に鑑みてなされたものであり、カメラ付き携帯電子機器に装着されるコンバージョンレンズとコンバージョンレンズによる撮影時のフラッシュ装置とを備え、カメラでの撮影時の一瞬だけ、撮影に同期してフラッシュ装置をオンにすることが可能なレンズモジュールおよび撮影方法を提供することを目的とする。
【課題を解決するための手段】
【０００９】
上記課題を解決するために、本発明のレンズモジュールは、カメラと前記カメラによる撮影時に発光するフラッシュ照明手段を備える携帯型電子機器の前記カメラのレンズに装着されるコンバージョンレンズと、このコンバージョンレンズを用いた撮影時に被写体を照明するコンバージョンレンズ用照明手段とを備えるレンズモジュールであって、
前記フラッシュ照明手段の光を前記被写体に対して遮蔽する遮蔽部材と、
前記フラッシュ照明手段の発光を検知する発光検知手段と、
前記発光検知手段により前記フラッシュ照明手段の発光が検知された場合に前記コンバージョンレンズ用照明手段を前記カメラの撮影に対応する所定期間だけ発光させる発光制御手段とを備え、
前記発光制御手段は、
前記フラッシュ照明手段の発光として、前記コンバージョンレンズ用照明手段による照明の光の種類に対応する複数の発光パターンのうちのいずれかの前記発光パターンでの発光が前記発光検知手段により検知された場合に、前記コンバージョンレンズ用照明手段に、前記発光検知手段により検知された前記発光パターンに対応する種類の光で前記被写体を照明させることを特徴とする。
また、本発明の撮影方法は、カメラと前記カメラによる撮影時に発光するフラッシュ照明手段を備える携帯型電子機器の前記カメラのレンズに装着されるコンバージョンレンズと、
このコンバージョンレンズを用いた撮影時に被写体を照明するコンバージョンレンズ用照明手段と
前記フラッシュ照明手段の光を前記被写体に対して遮蔽する遮蔽部材と、
前記フラッシュ照明手段の発光を検知する発光検知手段と、
前記発光検知手段により前記フラッシュ照明手段の発光が検知された場合に前記コンバージョンレンズ用照明手段を前記カメラの撮影に対応する所定期間だけ発光させる発光制御手段とを備えるレンズモジュールを取り付けて画像を撮影する撮影方法であって、
前記発光制御手段は、
前記フラッシュ照明手段の発光として、前記コンバージョンレンズ用照明手段による照明の光の種類に対応する複数の発光パターンのうちのいずれかの前記発光パターンでの発光が前記発光検知手段により検知された場合に、前記コンバージョンレンズ用照明手段に、前記発光検知手段により検知された前記発光パターンに対応する種類の光で前記被写体を照明させることを特徴とする。
【００１０】
このような構成によれば、コンバージョンレンズを用いて携帯型電子機器のカメラで撮影を行う際に、携帯型電子機器のフラッシュ照明手段ではなく、コンバージョンレンズの撮影に適したコンバージョンレンズ用照明手段で照明するものとしても、使用電力を低減することができ、例えば小型の電池を使用できたり、レンズモジュールの電源としての電池の使用可能期間を延ばしたりすることができる。
【００１１】
すなわち、コンバージョンレンズ用照明手段がフラッシュ照明手段の発光に対応して発光して消灯させられるので、手動で照明をオン・オフする場合に比較してコンバージョンレンズ用照明手段の発光期間を短くして電力の使用量を低減できる。また、レンズモジュールと携帯型電子機器との間で無線や有線で通信を行わなくても、レンズモジュールは、携帯型電子機器での撮影のタイミングをフラッシュ照明手段の発光により検知してコンバージョンレンズ用照明手段を発光させることができる。
【００１２】
したがって、レンズモジュールは、通信機能を必要とせず、コストの低減を図ることができる。また、有線通信を用いる場合のように、携帯型電子機器とレンズモジュールとを配線で繋ぐ必要がなく、携帯型電子機器へのレンズモジュールの装着が煩雑になるのを防止できる。
【００１３】
本発明の上記構成において、前記コンバージョンレンズの少なくとも左右および下に向かって延出して配置され、前記フラッシュ照明手段で発光された光を前記発光検知手段に導く導光板を備え、前記発光検知手段は、前記導光板を介して前記フラッシュ照明手段の発光を検知することが好ましい。
【００１４】
このような構成によれば、フラッシュ照明手段がコンバージョンレンズの左にある場合や、右にある場合や、下にある場合があっても、携帯型電子機器のカメラのレンズにコンバージョンレンズを装着した際に、導光板がフラッシュ照明手段に重なることになる。この導光板がフラッシュ照明手段の発光を発光検知手段に導くことにより、フラッシュ照明手段がコンバージョンレンズに対してどの位置にあっても、フラッシュ照明手段の発光を発光検知手段で検知することができる。
【００１５】
すなわち、携帯型電子機器の機種によって、コンバージョンレンズに対するフラッシュ照明手段の位置が異なっても、フラッシュ照明手段の発光を検知することができる。すなわち、異なる携帯型電子機器に容易に対応することができる。
【００１６】
本発明の上記構成において、前記携帯型電子機器が前記フラッシュ照明手段の発光を制御するフラッシュ制御手段を備え、前記フラッシュ制御手段は、前記フラッシュ照明手段を制御して、前記カメラによる撮影時の発光の前に、所定の発光パターンの事前発光を行わせ、
前記発光制御手段は、前記発光検知手段により所定の発光パターンの事前発光が検知された後に発光の開始が検知された場合に前記コンバージョンレンズ用照明手段を発光させることが好ましい。
【００１７】
このような構成によれば、フラッシュ照明手段による所定の発光パターンの事前発光が有った後の発光開始に対応して、コンバージョンレンズ用照明手段が発光するので、例えば、レンズモジュールを電源オンのまま携帯型電子機器から取り外した際に、外光や各種照明等の発光に対応してコンバージョンレンズ用照明手段が発光してしまうのを防止できる。これにより、レンズモジュールにおいて電力消費量の低減を図ることができる。
【００１８】
本発明は、カメラと前記カメラによる撮影時にシャッタ音を出力する音響手段を備える携帯型電子機器の前記カメラのレンズに装着されるコンバージョンレンズと、このコンバージョンレンズを用いた撮影時に被写体を照明するコンバージョンレンズ用照明手段とを備えるレンズモジュールであって、
前記音響手段によるシャッタ音の出力を検知するシャッタ音検知手段と、
前記シャッタ音検知手段により前記音響手段によるシャッタ音の出力が検知された場合に前記コンバージョンレンズ用照明手段を前記カメラの撮影に対応する所定期間だけ発光させる発光制御手段とを備えることと特徴とする。
【００１９】
このような構成によれば、コンバージョンレンズを用いて携帯型電子機器のカメラで撮影を行う場合に、コンバージョンレンズでの撮影に適したコンバージョンレンズ用照明手段で照明する場合に使用電力を低減して例えばレンズモジュールの電源としての電池の小型化や電池の使用可能期間を延ばすことができる。
【００２０】
すなわち、コンバージョンレンズ用照明手段が音響手段のシャッタ音に対応して発光して消灯させられるので、手動で照明をオン・オフする場合に比較してコンバージョンレンズ用照明手段の発光期間を短くして電力の使用量を低減できる。また、レンズモジュールと携帯型電子機器との間で無線や有線で通信を行わなくても、レンズモジュールは、携帯型電子機器での撮影のタイミングを音響手段のシャッタ音により検知して発光することができる。
【００２１】
したがって、レンズモジュールは、通信機能を必要とせず、コストの低減を図ることができる。また、有線通信を用いる場合のように、携帯型電子機器とレンズモジュールとを配線で繋ぐ必要がなく、携帯型電子機器へのレンズモジュールの装着が煩雑になるのを防止できる。
【００２２】
本発明の上記構成において、前記コンバージョンレンズは、被写体として肌を撮影するために被写体を拡大して接写するためのレンズとされ、
前記コンバージョンレンズ用照明手段は、第１偏光板を備え、前記第１偏光板を通過した照明光と、前記第１偏光板を通過しない照明光とを切り替えて出射可能にされ、
前記コンバージョンレンズは、第２偏光板を備え、前記コンバージョンレンズと前記第２偏光板を通過した光がカメラに入射し、
前記第１偏光板と、前記第２偏光板とは、偏光方向が異なるように配置されていることが好ましい。
【００２３】
このような構成によれば、第１偏光板を通過した照明光は、偏光された状態で肌で反射する。この反射光の主な光は第１偏光板で変更された状態を維持し、コンバージョンレンズと第２偏光板を経てカメラに入射される。この際に第１偏光板と、第２偏光板とで偏光方向が異なる（例えば、偏光方向が直交する）ので、第１偏光板による偏光方向を維持した光の多くが第２偏光板で遮断される。
【００２４】
したがって、肌の表面で反射した光は、カメラで撮像（撮影）され難い状態になる。しかし、コンバージョンレンズ用照明手段から肌に照射された光は、肌の表層部分（肌内部）が光の一部を透過するため、肌の表層部分で反射した光もコンバージョンレンズに至る。肌の表層部分内に至った光の多くは、肌内部で拡散と反射を繰り返した後に肌から出射されることから、第１偏光板で偏光された状態を維持しておらず、第２偏光板を通過可能な光となる。したがって、カメラは、主に肌の表層部内を撮像することになる。
【００２５】
また、コンバージョンレンズ用照明手段で第１偏光板を通過しない光を肌に当てた場合には、肌の表面を反射した光のうちの第２偏光板の偏光方向に対応する光が第２偏光板を通過し、肌の表面が撮影される。なお、肌の表層部内から出射した光もカメラに入射するが、肌の表面で反射する光の方が多いので、上述のように肌表面からの反射光のカメラへの入射を阻害した場合のように、主に肌の表層部内が撮影される状態とはならず、肌の表層部が視認し難く、肌表面が視認し易い画像を得られる。
【００２６】
ここで、肌の撮影には、各種方法があるが、一般的には肌の表面を拡大して撮像し、肌のキメの状態を見るものである。なお、肌の表面には、網目状の溝と、溝に囲まれた比較的平らな部分と、毛穴とがあり、キメが整った状態（良好な状態）とは、溝の網目が整然とし、毛穴が目立たない状態である。このキメの状態を見るために肌を撮影する場合には、コンバージョンレンズ用照明手段で第１偏光板を通過しない光を照射して撮影を行う。
【００２７】
また、肌の撮影は、シミの有無やシミがある場合のシミの状態（色や大きさ等）を観察するために行われる場合がある。このシミは、肌の表層部内で形成される。したって、コンバージョンレンズ用照明手段から第１偏光板を通過した光を肌に照射して撮影することにより、シミの状態を観察することが可能な画像を得ることができる。したがって、このレンズモジュールによれば、肌のキメを観察可能な画像と、肌のシミを観察可能な画像とを得ることができる。
【００２８】
本発明は、カメラと音を出力する音出力手段とこれらカメラおよび音出力手段を制御する携帯側制御手段とを備える携帯型電子機器に、前記カメラのレンズの焦点距離を変更するコンバージョンレンズを有するレンズモジュールを取り付けて画像を撮影する撮影方法であって、
前記レンズモジュールに、前記コンバージョンレンズを用いた前記携帯型電子機器による撮影の際に発光して照明を行う照明手段と、音が入力した際に電子信号に変換する音入力手段と、前記照明手段を制御するとともに前記音入力手段から電子信号が入力されるモジュール側制御手段とを備えさせ、
前記携帯側制御手段は、前記コンバージョンレンズを用いた撮影に際し、前記音出力手段から所定の音を出力させ、前記音の出力から所定時間経過した際に前記カメラを制御して、前記カメラによる撮影を行わせ、
前記モジュール側制御手段は、前記音入力手段から電子信号が入力した際に、前記所定の音が変換された電子信号か否かを判定し、前記所定の音が変換された電子信号が入力したと判定した場合に、当該電子信号が入力してから所定時間経過した際に前記照明手段を制御して発光させることを特徴とする。
【００２９】
このような構成によれば、例えば、携帯型電子機器と、レンズモジュールとが通信機器により接続されていなくとも、携帯型電子機器で撮影を行う際に、この撮影に同期してレンズモジュール側で撮影時の照明用の発光を行うことができる。なお、音出力手段は、例えば、撮影時にシャッタ音を出力するようになっており、モジュール側制御手段が音入力手段から所定のシャッタ音に対応する電子信号が入力した際に、照明手段を発光させるものとしてもよい。
【発明の効果】
【００３０】
本発明によれば、携帯電話等のカメラが付いた携帯型電子機器にコンバージョンレンズとコンバージョンレンズ用照明手段とを有するレンズモジュールを装着した際に、携帯型電子機器と通信を行わなくても、カメラの撮影に同期して、コンバージョンレンズ用照明手段の発光を制御できる。この場合に、カメラが被写体を撮影している短時間だけコンバージョンレンズ用照明手段を発光させる制御が可能であり、手動で撮影前に電源をオンにし、撮影後に電源をオフとする場合に比較して大幅に電力使用量を削減できる。この場合に、携帯型電子機器に装着されるレンズモジュールの電源は電池となり、電池の交換期間を長くすることができる。または、容量の小さな小型の電池を用いることで電源の小型化・軽量化を図り、これにより、レンズモジュールの小型化・軽量化を図ることができる。
【図面の簡単な説明】
【００３１】
【図１】本発明の第１実施形態に係るレンズモジュールを示す正面図である。
【図２】前記レンズモジュールを示す側面図である。
【図３】前記レンズモジュールの概略構成を示すブロック図である。
【図４】前記レンズモジュールが取り付けられるスマートフォンにおける携帯側フラッシュ装置の制御された発光を説明するためのグラフである。
【図５】本発明の第２実施形態に係るレンズモジュールの概略構成を示すブロック図である。
【図６】本発明の第３実施形態に係るレンズモジュールの概略構成を示すブロック図である。
【図７】カメラのレンズユニットと携帯側ＬＥＤを備えるスマートフォンを示す背面図である。
【図８】レンズユニットと携帯側ＬＥＤの配置が異なる前記スマートフォンを示す背面図である。
【図９】レンズユニットと携帯側ＬＥＤの配置が異なる前記スマートフォンを示す背面図である。
【図１０】本発明の第４実施形態に係るレンズモジュールに設けられた導光板と発光検出部を示す正面図である。
【図１１】前記導光板と携帯側ＬＥＤとの関係を説明するためのスマートフォンに取り付けられたレンズモジュールを示す要部断面図である。
【図１２】前記導光板を示す要部断面図である。
【図１３】本発明の第５実施形態のレンズモジュールとスマートフォン１を示す斜視図である。
【図１４】第５実施形態のスマートフォンに装着されたレンズモジュールを示す斜視図である。
【図１５】第５実施形態のスマートフォンに装着されたレンズモジュールを示す正面図である。
【図１６】第６実施形態のレンズモジュールにおける撮像素子とコンバージョンレンズの撮影範囲と肌の撮像データとして用いられる撮影有効範囲とを示す図である。
【発明を実施するための形態】
【００３２】
以下、図面を参照しながら本発明の実施の形態について説明する。
図１から図３に示すように、この実施の形態のレンズモジュール２７は、携帯型電子機器であるとともに携帯電話の一種であるスマートフォン１に取り付けられて、スマートフォン１のカメラ（撮像部２）のレンズユニット２０の焦点距離より望遠側または広角側での撮影を可能にするコンバージョンレンズ４を有するものである。
【００３３】
この実施形態では、コンバージョンレンズ４が肌のキメや肌のシミを観察するために肌を拡大して撮影可能にするとともに、その際に接写（マクロ撮影）可能にするためのレンズとされており、スマートフォン（携帯電話）１を肌の状態を観察するために肌を撮影する肌カメラに変換するためのものである。
【００３４】
前記スマートフォン１は、例えばカメラとしての撮像部２を備えるとともに、撮像部２での撮像（撮影）時に、被写体９（図３に図示）のフラッシュ照明を行うフラッシュ照明手段としての携帯側フラッシュ装置３を備えている。携帯側フラッシュ装置３は、光源として携帯側ＬＥＤ２１を備えている。撮像部２は、携帯電話やスマートフォン１等の携帯型電子機器に組み込まれる周知のカメラユニットであり、撮像素子と、一枚のレンズまたは複数枚のレンズからなるレンズ群からなる例えば単焦点のレンズユニット２０を備える。また、スマートフォン１は、演算処理手段としてのＣＰＵ（およびＲＯＭ、ＲＡＭ等のメモリ）を有するとともに、オペレーティングシステム（ＯＳ）がインストールされ、ＯＳ介してプログラム（所謂アプリ）をＣＰＵで実行可能となっており、ＯＳの機種が同じならば、同じプログラムを実行可能になっている。
【００３５】
また、ＣＰＵで実行されるプログラムは、携帯側フラッシュ装置３の点灯、消灯の制御や、後述するスピーカ１１（図６に図示）への音源からの音の出力の制御が可能になっている。スマートフォン１は、携帯電話としての通信機能を有するとともに、プログラムの実行により様々な機能を有するものである。なお、一般的な携帯電話においても、仮想環境で実行可能なプログラムを用いることで、異なる機種でも同じプログラムを実行可能になっており、各種プログラムを実行可能である。また、携帯側フラッシュ装置３は、撮像部２による写真の撮影時にフラッシュ照明として短時間だけ発光（点灯）するようになっておる。また、携帯側フラッシュ装置３は、１ｍ程度の近距離での撮影に適した照明となっており、必ずしも接写に適したものとなっていない。
【００３６】
レンズモジュール２７は、例えば、図１および図２に示すように、ケース２８に取り付け可能になっている。
【００３７】
なお、レンズモジュール２７をスマートフォン１等の携帯型電子機器に装着して固定する際にケースを介さずに取り付けてもよい。また、スマートフォン１にレンズモジュール２７を取り付ける方法は、例えば、伸縮可能なベルト（バンド）で固定する方法や、吸盤で固定する方法や、スマートフォン１に予め磁石または磁石に吸着される磁性体を張り付け、磁力により固定する方法や、粘着材（例えば、両面テープ）等によりケースに取り付ける方法を用いるものとしてもよい。
【００３８】
ここで、ケース２８を取り付ける場合と取り付けない場合とで、レンズモジュール２７のコンバージョンレンズ４とスマートフォン１のレンズユニット２０との距離が異なる。また、レンズモジュール２７をケース２８に取り付ける場合に、使用するケース２８の厚みによってレンズモジュール２７のコンバージョンレンズ４とスマートフォン１のレンズユニット２０との距離が異なる虞がある。それに対して、コンバージョンレンズ４は、１枚の凸レンズあるいは凸レンズと凹レンズの２枚で構成され、その光学系はケース２８の厚みの違いによるレンズユニット２０とのある程度の距離の違いに対応可能になっているとともに、ケース２８を用いる場合とケース２８を用いない場合とにおけるレンズユニット２０との距離の違いに対応可能になっている。即ち、携帯との間隔が変化しても、光学性能の変化は少なくなるような光学系の設計がなされている。なお、スマートフォン１の機種に対応してレンズモジュール２７を取り付けるための専用のケース２８を用意して販売するものとしてもよい。
【００３９】
また、レンズモジュール２７のコンバージョンレンズ４には、フード２９が設けられている。なお、フード２９は、例えば、肌撮影時にその前端面を肌に接触させることで、肌撮影時のコンバージョンレンズ４と肌との距離を決めるものである。
【００４０】
図１および図３に示すように、レンズモジュール２７は、前記コンバージョンレンズ４と、スマートフォン１の携帯側フラッシュ装置３の発光を検知するフォトセンサである発光検知手段としての発光検出部５と、コンバージョンレンズ４を用いて撮影する場合のフラッシュ照明の光源である２つのモジュール側ＬＥＤ７，８と、発光検出部５における携帯側フラッシュ装置３の発光の検知に基づいて入力される信号（例えば、輝度や明度等の光の強度の信号）に基づいてモジュール側ＬＥＤ７，８の点灯（発光）と消灯を制御する制御部６と、電池（例えば、ボタン型電池）である電源１０と、レンズモジュール２７の電源１０をオン・オフする電源スイッチ１８とを備える。なお、図１に示すモードスイッチ１９は、第２実施形態のレンズモジュール２７で用いられるものである。また、図３において、符号９は、被写体（肌）である。
【００４１】
レンズモジュール２７（の筐体）は、携帯側フラッシュ装置３の光を被写体９や、撮像部２のレンズユニット２０に当てないように遮蔽する遮蔽部材として機能する。
コンバージョンレンズ４は、上述のようにスマートフォン１の撮像部２の焦点距離を望遠側（拡大側）に変更するとともに、接写を可能とするものであり、一枚のレンズまたは複数枚のレンズからなるレンズ群からなっている。この実施形態では、コンバージョンレンズ４は、凸レンズと凹レンズとの２枚構成になっており、これら２枚構成のレンズにより、色収差の補正がなされるようになっている。また、１枚構成のものでは、携帯カメラとの間隔が光学特性に大きな影響を及ぼしケース厚みのばらつきに対応できる範囲が比較的狭いが、２枚構成の場合、２枚レンズの組みを光学特性が許容される範囲で携帯カメラから離して配置することにより、広い範囲でケース厚みのばらつきによる携帯カメラとコンバージョンレンズの間隔ばらつきに対応可能となっている。
【００４２】
発光検出部５は、例えば、フォトダイオードやフォトトランジスタを有するフォトセンサであり、レンズモジュール２７をスマートフォン１に装着した際に、スマートフォン１の携帯側フラッシュ装置３の近傍に配置されるとともに、外光が遮られる位置に配置されている。この発光検出部５は、携帯側フラッシュ装置３の発光に基づく明るさ（輝度、明度）の変化を検知して、輝度（明度）のレベルを示す信号を出力可能となっている。
【００４３】
たとえば、携帯側フラッシュ装置３での発光において輝度が変化したり、携帯側フラッシュ装置３の発光がパルス状であったりする場合に、発光検出部５は、輝度の変化やパルスを検知可能となっている。また、発光検出部５は、スマートフォン１に装着されたレンズモジュール２７のスマートフォン１に対向する位置に配置され、レンズモジュール２７により外光の多くが遮蔽されるようになっている。これにより、外光の輝度の変化により、モジュール側ＬＥＤ７，８が発光してしまうのを防止している。
【００４４】
複数（例えば２つ）のモジュール側ＬＥＤ７，８がコンバージョンレンズ４の近傍に配置され、スマートフォン１の撮像部２でコンバージョンレンズ４を用いた撮影を行う場合に、フラッシュ照明として発光するものである。この実施形態では、二つのモジュール側ＬＥＤ７，８が、例えば、コンバージョンレンズ４のフード２９に配置されている。また、二つのモジュール側ＬＥＤ７，８は、フード２９の中心軸を間に挟んで対向するようにフード２９の内周面に配置されている。なお、モジュール側ＬＥＤ７，８は、肌に影ができ難いように、複数あることが好ましく、例えば、三つ以上であってもよい。また、複数ｕのモジュール側ＬＥＤ７，８は、異なる方向から肌を照らすようになっていることが好ましい。
【００４５】
発光制御手段としての制御部６は、例えば、組み込み型ＭＰＵからなるものである。なお、制御部６は、汎用の演算処理装置である必要はなく、専用回路からなる制御装置であってもよい。
【００４６】
制御部６は、上述のように発光検出部５から入力する信号に基づいて、モジュール側ＬＥＤ７，８を発光させる。この場合に、発光検出部５が携帯側フラッシュ装置３の発光開始を検知して制御部６に信号が入力した際にモジュール側ＬＥＤ７，８を発光させ、撮影に必要な所定時間だけモジュール側ＬＥＤ７，８を発光さえた後に消灯するように制御される。なお、撮影に必要な所定時間とは、例えば、撮像部２による撮影の際の携帯側フラッシュ装置３の発光時間と略同じ時間である。
【００４７】
電源１０は、電池であり、レンズモジュール２７の筐体内に交換可能にセットされている。電源スイッチ１８は、例えば、レンズモジュール２７の向かって左側に配置されている。
【００４８】
このようなレンズモジュール２７においては、スマートフォン１に直接またはケース２８を介して取り付けられる。この際には、スマートフォン１の撮像部２のレンズユニット２０の光軸（中心軸）と、コンバージョンレンズ４の光軸（中心軸）とが略一致するようになっている。また、スマートフォン１の携帯側フラッシュ装置３の近傍で携帯側フラッシュ装置３の発光が照射される位置に、発光検出部５が配置されるようになっている。
【００４９】
電源スイッチ１８をオンにすると、発光検出部５に電源１０から電力が供給され、発光を検知可能な状態になる。この状態で、スマートフォン１を操作して、写真の撮影、すなわち、肌の撮影を行うと、携帯側フラッシュ装置３が発光するとともに、撮像部２の撮像素子から出力される画像データがスマートフォン１の記憶装置に記憶される。
【００５０】
この際にレンズモジュール２７側では、携帯側フラッシュ装置３の発光開始時に、発光検出部５が発光を検知して、制御部６に信号を出力し、制御部６は発光検出部５からの信号の入力に基づいて、モジュール側ＬＥＤ７，８を例えば上述のように撮影に必要な時間だけ発光させ、その後に消灯させる。
【００５１】
このようなレンズモジュール２７にあっては、例えば、スマートフォン１と有線通信や無線通信により通信できる環境になくても、スマートフォン１の撮影タイミングに同期してコンバージョンレンズ４を用いた撮影用の照明を行うことが可能になる。この場合に、スマートフォン１の携帯側フラッシュ装置３が接写での撮影に不向きな発光を行うものであっても、接写に適した照明を行うことができる。特に、肌の表面のキメの撮影に適した照明で撮影することができる。したがって、この実施の形態では、肌のキメを精度高く撮像することができる。
【００５２】
また、通信手段なしで、スマートフォン１側の撮影のタイミングに合わせてレンズモジュール２７側で照明を行うことができるので、レンズモジュール２７にスマートフォン１と通信可能な通信手段を設ける必要がなく、レンズモジュール２７の製造コストを低減することができる。
【００５３】
また、モジュール側ＬＥＤ７，８を点灯する時間は、撮影に必要な時間なので、照明に必要な電力量を削減することができる。これにより、電源１０としての電池を小型化して電池にかかるコストを低減できるとともに、電気交換の期間が長くなり、電池交換の煩わしさを抑制できる。
【００５４】
次に、制御部６によるモジュール側ＬＥＤ７，８の制御方法の変形例を説明する。この制御方法においては、スマートフォン１側に、レンズモジュール２７を用いた肌撮影用のプログラム（アプリケーション）を例えばインターネットのサイトからダウンロードしてインストールするようになっている。このプログラムは、例えば、スマートフォン１のフラッシュ制御手段としてのＣＰＵでＯＳを介して実行され、撮影時の携帯側フラッシュ装置３の発光を制御するものである。
【００５５】
この肌撮影用プログラムが起動している状態で、スマートフォン１でシャッタを押して撮影を行うと、肌撮影用プログラムに基づく携帯側フラッシュ装置３の制御により、携帯側フラッシュ装置３から図４に示す波形（光の強度の変化を示す形状）の発光が行われる。なお、図４のグラフにおいて、横軸が時間（Ｔｉｍｅ）で、縦軸が光の強度（Ｉｎｔｅｎｓｉｔｙ）である。
【００５６】
図４のグラフに示される携帯側フラッシュ装置３の発光は、シャッタが押されてから撮影が開始される所定時間前に、所定時間間隔で６回の符号２５で示されるパルス状の発光パターンでの事前発光が行われ、撮影開始直前に撮影用の照明として符号２６で示される撮影用の発光が行われる。パルス状の発光パターンは一種のコード（パルスコード）となっており、この光によるコードによって、発光検出部５と制御部６を有するレンズモジュール２７に情報を伝達するようになっている。ここでは、コードは撮影開始を示すものである。
【００５７】
図４のグラフに示す発光が携帯側フラッシュ装置３で行われると、この発光を検知した発光検出部５からは図４に示すグラフと略同様の信号を出力することになる。制御部６では、６つのパルス状の発光を示す信号が入力した際に、これを所定間隔の６つのハイの信号からなるコードとして認識し、モジュール側ＬＥＤ７，８の発光を許可する状態となる。
【００５８】
なお、この場合に６つのパルス状の発光に対応する信号が入力するまでは、モジュール側ＬＥＤ７，８の発光が禁止された状態となる。このように発光が許可された状態で、携帯側フラッシュ装置３による撮影時の発光の開始により光の強度がローからハイに変化すると制御部６がモジュール側ＬＥＤ７，８を撮影に対応する所定時間だけ発光させる。
【００５９】
このようなレンズモジュール２７にあっては、例えば、電源がオンのままレンズモジュール２７がスマートフォン１から外された状態や、スマートフォン１にレンズモジュール２７が装着されて電源がオンの状態でも発光検出部５への外光が遮蔽されていない状態の場合に、外光の強度がローからハイに変化することにより、制御部６がモジュール側ＬＥＤ７，８を点灯させてしまう誤作動を防止できる。
【００６０】
なお、この撮影開始を示すコードは、所定間隔の６回のパルス状の発光に限られるものではなく、発光検出部５および制御部６で認識可能で誤作動が生じ難い発光パターンであればよい。
【００６１】
次に本発明の第２実施形態について説明する。
図５のブロック図に示す第２実施形態のレンズモジュール２７は、第１実施形態に対して、モジュール側ＬＥＤとして、モジュール側ＬＥＤ７，８に加えて、モジュール側ＬＥＤ１３，１４を有する点と、このモジュール側ＬＥＤ１３，１４には第１偏光板１５，１６が設けられている点と、コンバージョンレンズ４のスマートフォン１の撮像部２のレンズユニット２０側に第２偏光板１７が設けられている点と、モードスイッチ１９が設けられている点が第１実施形態と異なる。それ以外の点は、基本的に第１実施形態と同様の構成を有するものであり、第１実施形態と同様の構成要素ついては、図５に第１実施形態と同様の符号を付してその説明を省略する。
【００６２】
第１偏光板１５，１６は、二つのモジュール側ＬＥＤ１３，１４の光を出射する部分の前に配置されており、モジュール側ＬＥＤ１３，１４から出射する光は、第１偏光板１５，１６を通過した光となり、第１偏光板１５，１６を通過した光が肌（被写体９）に照射される。また、別の二つのモジュール側ＬＥＤ７，８には、第１偏光板１５，１６は設けておらず、第１偏光板１５，１６を通過しない光が被写体９に照射される。
【００６３】
第１偏光板１５，１６を備える複数のモジュール側ＬＥＤ１３，１４と、第１偏光板１５，１６がない複数のモジュール側ＬＥＤ７，８とは、切り替えて使用されるようになっており、モジュール側ＬＥＤ１３，１４が発光する際には、モジュール側ＬＥＤ７，８は発光せず、モジュール側ＬＥＤ７，８が発光する際には、モジュール側ＬＥＤ１３，１４は発光しない。この切り替えは、モードスイッチ１９で行われるようになっている。なお、一組のモジュール側ＬＥＤを有するものとし、第１偏光板がモジュール側ＬＥＤの発光を遮る状態と遮らない状態とに移動可能とされ、モードスイッチ１９で第１偏光板の状態が変更されるものとしてもよい。
【００６４】
また、コンバージョンレンズ４のスマートフォン１の撮像部２のレンズユニット２０を向く方向には、第２偏光板１７が配置されている。すなわち、レンズユニット２０と、コンバージョンレンズ４との間に、第２偏光板１７が配置されている。第１偏光板１５，１６と、第２偏光板１７とは、互いに変更方向が直交するように配置されており、第１偏光板１５，１６を通過した光の多くは、第２偏光板１７を通過できない構成となっている。
【００６５】
前記モードスイッチ１９では、第１偏光板１５，１６がないモジュール側ＬＥＤ７，８を発光させて肌のキメを観察し易い画像データを撮像する第１モードと、肌表面の反射光を押さえて肌表層部内のシミを観察し易い画像データを撮像する第２モードとを備える。
【００６６】
すなわち、この実施形態のレンズモジュール２７は、被写体９としての肌の表面と肌の内部（表層部内）の両方を撮像できるようにしたものである。肌の表面では、第１偏光板１５，１６を通過して偏光した光を照射した場合、反射光は偏光がそのまま維持されて反射される。また、肌内部の反射では、拡散、反射が繰り返され、偏光は維持されない。この特性を利用することにより、肌の表面と内部を選択的に撮像できる。
【００６７】
第２偏光板１７は、第１偏光板１５，１６の偏光方向と垂直になるように設けられている。この場合に、第１偏光板１５，１６によりモジュール側ＬＥＤ１３、１４の光が偏光され、この光が被写体９に照射されると、表面の反射光では、偏光が維持された状態で、コンバージョンレンズ４を通り第２偏光板１７に供給されるが、第２偏光板１７の偏光方向が第１偏光板１５，１６と異なるため、第２偏光板１７を反射光の多くが通過することができない。
【００６８】
また、肌の内部で反射した光は、偏光が維持されないため、コンバージョンレンズ４を通り、さらに、偏光板１７においては、偏光板１７の偏光と同じ偏光の光が透過して、スマートフォン１の撮像部２に入射して、撮像することができる。
【００６９】
したがって、肌の表面のキメの細かさを撮像する場合は、表面の反射を撮像するため、偏光されないモジュール側ＬＥＤ７，８を使用し、肌の内部のシミを撮像する場合は、偏光されるモジュール側ＬＥＤ１３，１４を使用することにより、肌のキメの撮影（第１モード）と肌のシミの撮影（第２モード）とを切り替えて撮影することができる。なお、第１モードのモジュール側ＬＥＤ７，８を用いた場合に、肌表面の反射光と、肌内部の反射光との両方が撮影されることになるが、肌表明の反射光の方が肌内部の反射光より強度が高いので、主に肌表面の画像が撮影される。
【００７０】
なお、上述のようにスマートフォン１の携帯側フラッシュ装置３を肌撮影用プログラムで制御することにより出力される複数のパルス状の発光からなるコードを肌のキメの撮影を示す第１モードのコード（例えば、パルス４回）と、肌のシミの撮影を示す第２モードのコード（例えば、パルス７回）との二種類とし、スマートフォン１側からレンズモジュール２７を制御するものとしてもよい。
【００７１】
この場合に、使用者がスマートフォン１上で実行される肌撮影プログラムのスマートフォン１の画面上の表示に基づいて、肌のキメを撮影する第１モードか、肌のシミを撮影する第２モードかを選択する。この際に肌撮影用プログラムによる処理によって、第１モードが選択された場合に第１モードを示すコードとしてのパルス状の発光の発光パターンが選択され、第２モードが選択された場合に第２モードを示すコードとしてのパルス状の発光パターンが選択される。
【００７２】
この状態で肌撮影用プログラムを起動したままスマートフォン１でシャッタを押して撮影を開始すると、撮像部２による撮像が開始される前に、第１モードのコードとしての発光パターンの発光か、第２モードのコードとしての発光パターンの発光が行われる。
この際にレンズモジュール２７の発光検出部５がパルス状の発光からなる発光パターンの発光を検知し、発光パターンを示す信号を制御部６に送信する。制御部６では、予め記憶されている複数の発光パターンと、コードとを対応づけたデータテーブルに基づいて、入力された信号が示す発光パターンに関連付けられたコードを検索する。
【００７３】
検索されたコードが第１モードを示す場合に、制御部６は、モジュール側ＬＥＤ７，８の発光を許可し、検索されたコードが第２モードを示す場合に、制御部６は、モジュール側ＬＥＤ１３，１４の発光を許可する。この状態で、図４に示す撮影用の発光２６が開始されると、制御部６は、モジュール側ＬＥＤ７，８の発光が許可されている場合に、モジュール側ＬＥＤ７，８を所定時間発光させ、第１偏光板１５，１６を備えたモジュール側ＬＥＤ１３，１４の発光が許可されている場合に、モジュール側ＬＥＤ１３，１４を発光させる。
【００７４】
この場合に、モードスイッチ１９を使用しなくても、第１モードと第２モードとを切り替えられることになり、モードスイッチ１９を省略することができる。これにより、レンズモジュール２７の簡素化、小型化、軽量化を図ることができる。
【００７５】
上述のように、スマートフォン１で実行されている肌撮影用プログラムに基づいてスマートフォン１のＣＰＵに制御される携帯側フラッシュ装置３の発光パターンを、レンズモジュール２７の発光検出部５で受光し、レンズモジュール２７の制御部６で受光した発光パターンを示す発光検出部５からの入力信号を認識することにより、通信が可能になっている。
【００７６】
ここで、このようなスマートフォン１とレンズモジュール２７との発光と受光による通信においては、例えば、開始信号と、送受されるデータであるデータ信号と、終了信号（省略可能）とから通信を行うものとしてもよい。
開始信号、終了信号には、例えば、それぞれ所定パルス発光パターンまたは発光パターンが設定されている。データ信号は、例えば、２進数の信号であってもよく、１（発光）と０（消灯）とを示すパルス発光パターンにより、データを送ることが可能になっている。なお、１と０とを、幅の広い第１のパルス幅のパルスと、第１のパルス幅より幅の狭い第２のパルス幅（例えば、第１のパルス幅の半分以下）のパルスとで表してもよいし、その他のパルス発光パターンや発光パターンで表してもよい。なお、終了信号は省略してもよい。
【００７７】
スマートフォン１のＣＰＵでは、発光検出部５の開始信号としての発光パタンが受信されると、それに続いて入力されるデータ信号を記憶するとともに、データ信号で示されるデータに対応する例えば後述のような処理を行う。
【００７８】
これにより、スマートフォン１とレンズモジュール２７との間で、所謂有線や無線の通信を行わなくても、パルス発光または発光によりスマートフォン１からレンズモジュール２７へのデータ送信が可能になる。スマートフォン１からレンズモジュール２７に送られるデータとしては、レンズモジュール２７に複数種の照明用のＬＥＤ（モジュール側ＬＥＤ）を搭載し、使用方法や使用状況等によって、使用するＬＥＤの種類を変更する場合に、使用するＬＥＤの種類を示す信号であってもよい。また、レンズモジュール２７に送られる信号としては、上述の開始信号、データ信号、終了信号のいずれかを受信してから照明（フラッシュ用）を開始するまで、すなわち、発光開始までの時間であってもよいし、ＬＥＤの発光開始から発光終了までの発光時間であってもよいし、ＬＥＤの発光強度であってもい。
【００７９】
次に本発明の第３実施形態を説明する。
図６のブロック図に示す第３実施形態のレンズモジュール２７は、第１実施形態に対して、発光検出部５に代えてシャッタ音検出手段（音入力手段）としてのマイク１２を備える点と、スマートフォン１が携帯側フラッシュ装置３に代えてシャッタ音を発生せる音響手段（音出力手段）としてのスピーカ１１を備える点と、モジュール側制御手段としての制御部６が音入力手段としてのマイク１２により検知されたシャッタ音の信号に基づいて、モジュール側ＬＥＤ７，８の発光を制御する点とが異なる。それ以外の点は、基本的に第１実施形態と同様の構成を有するものであり、第１実施形態と同様の構成要素ついては、図５に第１実施形態と同様の符号を付してその説明を省略する。
【００８０】
この実施形態では、例えば、フラッシュとしての携帯側フラッシュ装置３を備えないスマートフォン（携帯電話）１でもコンバージョンレンズ４を用いた撮影において、コンバージョンレンズ用照明を使用可能とするとともに、スマートフォン１側での画像の撮影に同期してコンバージョンレンズ用照明のフラッシュとしての発光を可能にしたものである。
【００８１】
スマートフォン１のスピーカ１１は、スマートフォン１の音響手段として、シャッタ音だけではなく、通話の際の音声、音楽プレーヤとしての音楽の出力、すなわち、スマートフォン１で発生可能な音を出力するものである。なお、スマートフォン１は、その内部に音の信号を出力するための音響生成手段を有し、音響生成手段で生成された音の信号がスピーカ１１で音に変換される。
【００８２】
レンズモジュール２７のマイク１２は、音を検知して音の周波数と振幅としての音の強度を示す信号を制御部６に出力するものである（音を電子信号に変換するものである）。制御部６は、マイク１２からシャッタ音を示す信号が入力した場合に、モジュール側ＬＥＤ７，８をスマートフォン１の一回の撮影時間に対応する時間だけ点灯する。すなわち、第１実施形態でスマートフォン１での画像の撮影時の携帯側フラッシュ装置３によるフラッシュとしての発光を検知して、モジュール側ＬＥＤ７，８を発光させたのに対して、第２実施形態のコンバージョンレンズ４を用いた撮影方法では、スマートフォン１での画像の撮影時にスピーカ１１からシャッタ音の発生を検知して、モジュール側ＬＥＤ７，８を発光させるようになっている。
【００８３】
ここで、単に音が鳴っただけで、モジュール側ＬＥＤ７，８を点灯すると誤作動が多くなってしまうので、予めシャッタ音の最初の部分の音信号（音データ）を制御部６に記憶しておき、この記憶された音信号と、マイク１２から入力した音信号（音データ）とを比較し、二つの音信号のパターンが有意に近似する場合にのみ、モジュール側ＬＥＤ７，８を発光させるものとしてもよい。なお、シャッタ音は、スマートフォン１や携帯電話の機種によって異なるので、予め複数機種のシャッタ音の最初の部分の音信号を制御部６に記憶しておくことが好ましい。
【００８４】
上述のように、スマートフォン１の携帯側フラッシュ装置３を肌撮影用プログラムで制御して撮影用の発光の前にパルス状の発光パターンでの発光を行い、所定の発光パターンが発光検出部５から信号として制御部６に入力した場合にだけ、モジュール側ＬＥＤ７，８の発光を許可し、その後の撮影時の携帯側フラッシュ装置３の発光開始と略同時にモジュール側ＬＥＤ７，８を発光させたように、肌撮影用プログラムにより、スマートフォン１の音響生成手段を制御して、特定の音信号（音）パターンとなるシャッタ音を発生させるものとしてもよい。
【００８５】
この場合に、スマートフォン１のシャッタ音をマイク１２を介して制御部６で認識しやすい音パターンとすることができ、さらに誤作動を低減できる。また、上述の肌撮影用プログラムが実行可能な機種ならいずれの機種にも対応できるので、予め、複数機種のシャッタ音の音信号を記憶しておく必要がなく、制御部６に備えられてデータを記憶するＲＯＭの容量を低減できる。
【００８６】
発光パターンの場合と同様に、撮影前に特定の音パターンを鳴らした後に撮影時にシャッタ音を鳴らすものとしてもよい。この場合に、撮影前の音パターンを制御部６がマイク１２を介して認識した後にシャッタ音が開始された場合に、モジュール側ＬＥＤ７，８を発光させることができ、誤作動を低減することができる。また、スピーカ１１から出力されるシャッタ音の音パターンを発光パターンの場合と同様にコードとして認識可能なものとしてもよい。
【００８７】
以上のことから、モジュール側ＬＥＤ７，８の発光の契機として、スマートフォン１のフラッシュの発光を検知するかシャッタ音の発生を検知するかの違い以外は、第１実施形態と、第２実施形態は、略同様の構成を有するとともに、同様の作用効果を得ることができる。また、第２実施形態のレンズモジュール２７においても、モジュール側ＬＥＤ７，８およびモジュール側ＬＥＤ１３，１４の発光の契機を、スマートフォン１でのフラッシュの発光に代えてシャッタ音の発生としてもよく、スマートフォン１に携帯側フラッシュ装置３に代えてスピーカ１１を設け、レンズモジュール２７に発光検出部５に代えてマイク１２を設けるものとしてもよい。
【００８８】
また、上述の音パターンとして、スピーカ１１から第１モード用の音パターン（第１モードを示すコード）と、第２モード用の音パターン（第２モードを示すコード）とを出力するようにし、モード切り替えをこの音パターンで行ってもよい。この場合にモードスイッチ１９を省略できる。
【００８９】
ここで、スマートフォン１のスピーカ１１から出力されて、レンズモジュール２７のマイク１２に入力される音によるデータ通信を用いた肌の撮影方法について説明する。なお、ここでは、図６に示す第３実施形態のレンズモジュール２７に、第２実施形態のモジュール側ＬＥＤ１３，１４を加えた構成を用いた肌の撮影方法を説明する。
【００９０】
まず、スマートフォン１で肌撮影用プログラムを起動する。この際にユーザは、手鏡を用意しておくことが好ましい。
スマートフォン１では、肌撮影用プログラムが実行されて、スマートフォンのディスプレイの画面として、肌撮影用プログラムの起動画面が表示されるとともに肌撮影開始ボタンが表示される。なお、この際に後述のモード切り替え用のボタンもスマートフォン１の画面に表示委させ、ユーザにモードを切り替えさせるものとしてもよいし、各モードで順番に１回ずつ撮影するものとしてもよい。
【００９１】
ユーザがスマートフォン１の画面のタッチパネルにより肌撮影開始ボタンを押す。
これによりスマートフォン１のＣＰＵは、所定時間後にシャッタを押す肌撮影シーケンスを開始する。
スマートフォン１では、肌撮影シーケンスとして、音響生成手段により所定の周波数と振幅のパターン（以下、音パターンと称する）の音信号（撮影開始信号）をスピーカ１１に出力し、スピーカ１１から所定のパターンの音が出力される。この音は、肌撮影の開始をレンズモジュール２７に指示する撮影開始信号（撮影開始音）である。
【００９２】
レンズモジュール２７の制御部６では、マイク１２から入力した音信号を認識し、撮影開始音と判断する。なお、音による通信においては、例えば、ボタン電話機の番号に対応するトーン信号のような音信号や、ファクシミリで使用されているような音信号による通信規格を用いてもよい。
【００９３】
制御部６が撮影開始信号を認識したタイミングを記憶することにより、スマートフォン１とレンズモジュール２７が同期した状態となる。すなわち、レンズモジュールによって、スマートフォン側での肌撮影シーケンスの進行状況の認識が可能となる。なお、撮影開始信号にはモジュール側ＬＥＤ７．８を発光して肌のキメを撮影する第１モードか、モジュール側ＬＥＤ１３，１４を発光して肌のシミを撮影する第２モードかを示す信号が含まれていてもよく、さらに、発光時間、発光強度、発光までの時間等の各種データが含まれていてもよい。
【００９４】
また、撮影開始信号の入力を検知したレンズモジュール２７の制御部６は、ユーザがスマートフォン１に装着されたレンズモジュール２７を自分の肌（例えば、顔であるが顔以外の肌でもよい）の所定位置にセットする際の照明用として、例えば、モジュール側ＬＥＤ７，８を発光させる。所定位置にセットするのは肌の状態の履歴を見るためには常に同じ部分の肌を撮影する必要があるからである。
【００９５】
この際にスマートフォン１では、画面表示や音声出力により、レンズモジュール２７を肌にセットするように促す指示を行う。これは例えば「所定位置にカメラをセットしてください」のメッセージを画面出力あるいは音声出力することにより行う。ユーザは、例えば、鏡を見ながらレンズモジュール２７を肌の所定位置にセットする。この際にスマートフォン１は、撮影モードになっており、ディスプレイの画面に、ＬＥＤで照らされ、撮像部２で撮像された画像が表示される。ユーザは、鏡でレンズモジュール２７（コンバージョンレンズ４）の配置とスマートフォン１のディスプレイの画面を見ながらレンズモジュール２７の位置を決める。なお、ユーザが定期的に肌撮影を行っている場合には、ユーザは、毎回肌の同じ位置を撮影することにより、肌の状態の変化の履歴を記憶することができる。
【００９６】
上述の撮影開始信号の送受信からユーザが肌の所定位置にカメラをセットするのに要するとされる所定時間後、例えば5秒後に、スマートフォン１から「撮ります（撮影します）３、２、１」という音声が出力され、その直後（例えば１秒後）にレンズモジュール２７では、制御部６の制御により上述のモジュール側ＬＥＤ７，８またはモジュール側ＬＥＤ１３，１４を発光させる。それと略同時にスマートフォン１側ではシャッタが自動で押された状態になって、撮像部２で撮像された画像データが記憶される。なお、発光するＬＥＤの種類は予め定められていてもよく、あるいは撮影開始信号により指示されるものであってもよい。
なお、上記例ではユーザへの指示として音声、画面出力等を用いているが、バイブレーションによる振動を短時間与えることによりユーザへの指示としてもよい。
【００９７】
なお、第３実施形態のようにフラッシュ用のモジュール側ＬＥＤ７，８が１種類で撮影モードが１つの場合には、上述の第１モードか第２モードかを示す信号を出力しない。
なお、スマートフォン１の撮影のタイミングと、レンズモジュールのフラッシュのタイミングとの同期に、第１実施形態および第２実施形態では、スマートフォン１のフラッシュ用の光を利用し、第３実施形態では、スマートフォンのシャッタ音用の音を利用したが、例えば、スマートフォン１のバイブレーションを利用してもよい。この場合に、レンズモジュール側に加速度センサを設け、加速度センサによりバイブレーションによる振動を検知するものとしてもよい。
【００９８】
この場合に、上述の携帯側フラッシュ装置３またはスピーカ１１に代えてバイブレーション装置を用い、レンズモジュール２７に発光検出部５またはマイク１２に代えて、加速度センサを設ける。バイブレーションによる振動のオン・オフのパターンによりモジュール側ＬＥＤ７，８等の発光タイミングをスマートフォン１のシャッタタイミングに同期させるものとしてもよい。また、振動のオン・オフのパターンによりスマートフォン１とレンズモジュール２７との間でデータ通信を行うものとしてもよい。
【００９９】
また、バイブレーション装置は、例えば、回転中心に対して重心が偏心した錘を回転させるモータからなるが、モータの回転数が制御可能ならば、振動のオン・オフだけではなく、モータの回転数による振動の周波数の違いによって、データを通信するものとしてもよい。
【０１００】
次に、本発明の第４実施形態について説明する。
第４実施形態のレンズモジュール２７は、第１実施形態のレンズモジュール２７に、スマートフォン１の機種によって、撮像部２のレンズユニット２０の位置に対する携帯側フラッシュ装置３の配置が異なることに対応可能な構成として導光板２２を付加したものであり、以下に、第１実施形態のレンズモジュール２７に付加した導光板２２とそれに伴って変更した部分について説明する。
【０１０１】
ここで、図７、図８、図９には、スマートフォン１の背面におけるが撮像部２のレンズユニット２０と、携帯側フラッシュ装置３の携帯側ＬＥＤ２１との配置を示すものである。図７ではレンズユニット２０の左側に携帯側ＬＥＤ２１が設けられ、図８ではレンズユニット２０の下側に携帯側ＬＥＤ２１が設けられ、図９ではレンズユニット２０の右側に携帯側ＬＥＤ２１が設けられている。
【０１０２】
したがって、図１に示す第１実施形態のレンズモジュール２７の場合に、レンズユニット２０の位置に配置されるコンバージョンレンズ４の右側に発光検出部５があるので、図９に示すスマートフォン１には対応できても、図７．図８に示すスマートフォン１において、発光検出部５が携帯側ＬＥＤ２１の光を精度高く検出できない虞がある。
【０１０３】
そこで、第４実施形態のレンズモジュール２７では、図１０〜図１２に示すように、コンバージョンレンズ４の左、右、下を含む周囲を囲むように導光板２２を配置している。また、この実施形態においては、発光検出部５がコンバージョンレンズ４の下側に配置されており、導光板２２は、コンバージョンレンズ４の左、右、下を囲む部分と、この部分から下側に延出する部分とから略Ｙ字状に形成されている。導光板２２の下側に延出する部分は、発光検出部５の位置まで延出している。
【０１０４】
したがって、導光板２２は、スマートフォン１のレンズユニット２０に位置合わせられるコンバージョンレンズ４の上を除く周囲を囲んでいるので、レンズモジュール２７をスマートフォン１に装着した際に、図１０に示すように、携帯側ＬＥＤ２１がレンズユニット２０の左（左の携帯側ＬＥＤ２１ａ）、右（右の携帯側ＬＥＤ２１ｂ）、下（下の携帯側ＬＥＤ２１ｃ）のいずれにあっても、導光板２２と、携帯側ＬＥＤ２１とが前後に重なるようになっている．携帯側ＬＥＤ２１ａ，２１ｂ，２１ｃから出射された光は、導光板を介してレンズモジュール２７の発光検出部５に導かれ、発光検出部５で検知される。
【０１０５】
また、導光板２２は、図１１に示すようい、レンズモジュール２７の筐体２３の外側のスマートフォン１に対向する側に設けられている。なお、筐体２３には、スマートフォン１のレンズユニット２０に重なるコンバージョンレンズ４の位置と、発光検出部５に重なる位置に孔が設けられている。また、筐体２３は、スマートフォン１の携帯側ＬＥＤ２１の発光による光が直接または導光板を介して被写体９に照射されるのを防止しており、携帯側フラッシュ装置３の光を遮蔽する遮蔽部材となっている。また、筐体２３は、レンズユニット２０（コンバージョンレンズ４）が配置される部分の左右下を囲む導光板２２のレンズユニット２０（コンバージョンレンズ４）側の端面を覆うように配置されて、導光板２２から出射される光がレンズユニット２０に入射するのを防止する構造になっている。
【０１０６】
また、導光板２２は、図１２に示すように、レンズモジュール２７側の面にディンプル（半円状のくぼみ）を複数設け、スマートフォン１側から携帯側ＬＥＤ２１の光が導光板に入射した場合に、これを乱反射させて、光を導光板２２の面方向に沿って光が誘導されるようにしている。
【０１０７】
また、発光検出部５に導光板２２内の光を誘導するために、発光検出部５の位置には、光を導光板２２の外部に射出するコーン（三角錐形状のくぼみ）を設けてある。携帯側ＬＥＤ２１より出射したフラッシュ光は、導光板２２のディンプルにより乱反射を行い、最終的にコーンより外部に射出され、発光検出部５に到達する。なお、この実施形態の導光板２２では、光の拡散用にディンプルを使用しているが、導光板２２のレンズモジュール２７側を向く面を波状にすることにより複数の反射面を設け、発光検出部５の方向（導光板２２の面方向に沿う方向）に携帯側ＬＥＤ２１の光が導かれるようにしてもよい。なお、導光板２２は、第２実施形態のレンズモジュール２７でも用いることができる。
【０１０８】
第４実施形態においては、スマートフォン１において、レンズユニット２０に対して、携帯側ＬＥＤ２１が左、右、下のいずれにあっても、携帯側ＬＥＤ２１の光が導光板により発光検出部５に誘導され、携帯側ＬＥＤ２１の発光を発光検出部５で検知することができる。
【０１０９】
次に、本発明の第５実施形態を説明する。
第５実施形態のレンズモジュールは、第１実施形態において、ケース２８を介してレンズモジュール２７をスマートフォン１に装着していたのに対して、ベルト（バンド）３１を用いて、レンズモジュール２７をスマートフォン１に装着するものであり、レンズモジュール２７に備えられるベルト３１について説明する。
【０１１０】
第５実施形態のレンズモジュール２７は、第１実施形態と同様のレンズモジュール２７にベルト３１と備えたものであり、レンズモジュール２７の左右の側部には、ベルト３１の一方の端部と他方の端部とが固定されている。これによりベルト３１は、レンズモジュール２７とともに、スマートフォン１の外周の形状に近い略四角枠状（環状）になっている。また、ベルト３１は、ゴム状に伸縮性を有する素材からなり、例えば、最も外周が小さいスマートフォン１の機種の外周の長さより、ベルト３１とレンズモジュール２７とからなる枠状部分の周の長さの方が短くされている。
【０１１１】
この四角枠状のベルト３１の内側にスマートフォン１を挿入した状態、すなわち、ベルト３１がスマートフォン１の周囲を囲む状態とすることで、レンズモジュール２７がスマートフォン１に装着されるようになっている。この状態では、ベルト３１がスマートフォン１を締め付けた状態でレンズモジュール２７がスマートフォン１に固定される。
【０１１２】
このようにスマートフォン１にベルト３１により固定されたレンズモジュール２７は、スマートフォン１に対して上下左右にずらして移動可能となっており、コンバージョンレンズ４の位置をスマートフォン１のレンズユニット２０の位置に合わせるこができる。なお、レンズモジュール２７は、第１実施形態から第４実施形態のいずれの実施形態のものとしてもよい。また、レンズモジュール２７には、第１実施形態と同様にフード２９にモジュール側ＬＥＤが二つ配置されている。
【０１１３】
次に、本発明の第６実施形態を説明する。
第６実施形態のレンズモジュール２７は、第１実施形態のレンズモジュール２７を用いた肌撮影に際し、繰り返し肌の同じ個所を撮影することを容易に可能な機能を付加したものである。これにより、肌の同じ個所の経時変化を観察することが容易に可能になる。なお、この機能は、第１実施形態だけではなく、第２実施形態から第５実施形態のレンズモジュール２７にも応用可能である。
【０１１４】
図１６に、スマートフォン１の撮像部２の撮像素子（の受光部）４１と、コンバージョンレンズ４を通した撮影範囲４２と、実際に画像データとして保存される範囲としての撮影有効範囲４３との関係を示す。なお、スマートフォン１の撮像素子４１は、例えば、１／４型撮像素子を用いているが、これに限られるものではない。
【０１１５】
撮影範囲４２は、上述のようにコンバージョンレンズ４によって撮影される範囲（円形）を表し、撮影有効範囲（矩形）４３は画像として取得し、肌履歴としてメモリに保存したり、肌診断ソフトの入力画像として利用されるものであり、肌の状態の履歴となる画像データを取得して記憶するためには、常に肌の同じ位置の画像が必要とされるものである。図１６に示されるように、撮影有効範囲４３を撮像素子４１の受光部およびコンバージョンレンズ４の撮影範囲４２より小さい領域とすることにより、倍率を落とし、電子ズームにより、撮影有効範囲４３を拡大する構成になっている。
【０１１６】
なお、撮像素子４１の受光部の範囲は、例えば、水平方向が３．６ｍｍ、垂直方向が２．７ｍｍとされ、コンバージョンレンズ４による撮影範囲４２は直径が３．０４ｍｍの円とされ、撮影有効範囲４３は、水平方向が１．５ｍｍ、垂直方向が１．５ｍｍとされている。撮影範囲４２および撮影有効範囲４３のサイズは、撮像素子４１の受光部上のサイズである。肌上の撮影有効範囲４３は７．５×７．５ｍｍになる。なお、これらのサイズは一例であり、このサイズに限定されるものではない。
【０１１７】
撮影有効範囲４３は、撮像素子４１の受光部の範囲と撮影範囲４２とが重なる共通領域の中に余裕をもって位置するようになっている。従って、スマートフォン１側のアプリケーションはこの共通領域の中で撮影有効範囲４３を設定することができる。
【０１１８】
例えば、初めて肌を撮影して撮影有効範囲４３の画像データを記憶した際に、これを基準画像データとし、次回以降の撮影において、基準画像データと、撮像素子４１の受光部の共通領域の画像（または、撮像素子４１で撮像された画像の全体）とを比較し、基準画像データに近似ずる範囲を周知の画像認識により認識させ、この近似する範囲を撮影有効範囲４３の画像データとして切り取って保存する処理を行うことができる。
【０１１９】
なお、初回撮影時は、比較する基準画像データが存在しないので、例えば、共通領域の予め設定された所定範囲を撮影有効範囲４３とする。また、基準画像データは、初回撮影時の撮影有効範囲４３の画像データに限られるものではなく、例えば、直近に撮影された撮影有効範囲４３の画像データであってもよい。
【０１２０】
以上のことから、ユーザがコンバージョンレンズ４を肌にセットする際に、いつもの撮影ポイント（肌上の基準位置）から若干のずれ（距離、角度）があっても、アプリケーション（肌撮影用プログラム）が基準位置として記憶した基準画像データと、共通領域の画像とを対比することにより、撮影有効範囲４３を共通領域内で肌上の基準位置に設定することができ、常に同一ポイントでの画像を取得することができる。
【０１２１】
また、肌上の撮影位置と、肌上の基準位置とのずれが大きく基準位置での画像を取得することができない場合、すなわち、基準画像データと類似する画像の範囲が共通領域からはみ出したり、共通領域の外にある場合（基準画像データに類似する画像データの範囲が無い場合）に、アプリケーションはユーザに再撮影をする必要がある旨通知することにより、再撮影を行うこととなる。
【符号の説明】
【０１２２】
１      スマートフォン（携帯型電子機器）
２      撮像部（カメラ）
３      携帯側フラッシュ装置（フラッシュ照明手段）
４      コンバージョンレンズ
５      発光検出部（発光検知手段）
６      制御部（発光制御手段、モジュール側制御手段）
７      モジュール側ＬＥＤ（コンバージョンレンズ用照明手段）
８      モジュール側ＬＥＤ（コンバージョンレンズ用照明手段）
９      被写体
１１    スピーカ（音響手段、音出力手段）
１２    マイク（シャッタ音検知手段、音入力手段）
１３    モジュール側ＬＥＤ（コンバージョンレンズ用照明手段、照明手段）
１４    モジュール側ＬＥＤ（コンバージョンレンズ用照明手段、照明手段）
１５    第１偏光板
１６    第１偏光板
１７    第２偏光板
２２    導光板
２７    レンズモジュール（遮蔽部材）
【図１】
0005970251.tif 000002
【図２】
0005970251.tif 000003
【図３】
0005970251.tif 000004
【図４】
0005970251.tif 000005
【図５】
0005970251.tif 000006
【図６】
0005970251.tif 000007
【図７】
0005970251.tif 000008
【図８】
0005970251.tif 000009
【図９】
0005970251.tif 000010
【図１０】
0005970251.tif 000011
【図１１】
0005970251.tif 000012
【図１２】
0005970251.tif 000013
【図１３】
0005970251.tif 000014
【図１４】
0005970251.tif 000015
【図１５】
0005970251.tif 000016
【図１６】
0005970251.tif 000017